(57)【特許請求の範囲】
【請求項１】
ヘッド部を貫いて突出しているバンド部を前記ヘッド部に対して強制的に引張る引締め機構と、前記引締め機構を手指操作で作動させるための引締め操作部と、前記引締め機構によって引締められた前記バンド部を、前記ヘッド部から引締め方向下手側に突出する部分における前記ヘッド部付近の箇所において切断させる切断機構と、前記切断機構を手指操作で作動させるための切断操作部と、を工具本体に有するとともに、
前記工具本体が、前記バンド部を保持可能なバンド保持部を先端部に有する第１レバーと、前記ヘッド部の通過は不能で、かつ、前記バンド部の通過は許容する横向き溝を先端部に有する第２レバーとを、これら各レバーの長手方向の中間部において枢支連結することで構成されており、前記第１レバーにおける前記第２レバーとの枢支連結点に対する前記保持部と反対側となる第１基端部と、前記第２レバーにおける前記第１レバーとの枢支連結点に対する前記横向き溝と反対側となる第２基端部との手指による握り込みによる前記バンド保持部と前記横向き溝との離反移動によって前記引締め機構が作動する状態に構成され、
前記第２レバーに枢支連結される切断レバーの前記第２レバー側への握り込みによって前記切断機構が作動する状態に構成され、
前記バンド保持部は、前記第１レバーの先端部に前記横向き溝と同方向に形成される取入れ溝と、前記取入れ溝に配置されるバンド部を押付け可能な係止片と、前記第１レバーと前記第２レバーとの手指による握り込みの開始に伴って前記係止片を押付け移動させる連動機構とから構成され、
前記引締め機構に対して前記バンド部を位置させる引締め配置操作、及び前記切断機構に対して前記バンド部を位置させる切断配置操作の双方が、前記工具本体と前記バンド部とのバンド部長手方向に対する横方向への相対移動によって行われるように構成されている手動結束工具。
【請求項２】
前記切断機構は、前記第２レバーの先端部における第１レバー側とは反対側において前記横向き溝を横切り移動可能な切断刃を設け、前記切断レバーの前記第２レバー側への握り込みによって前記切断刃が横向き溝を横切り移動するように、前記切断刃と前記切断レバーとを連動連結することで構成されている請求項１に記載の手動結束工具。
【請求項３】
前記切断刃をこれが前記横向き溝を横切り移動する前の退入位置に維持させるべく、前記切断レバーを前記第２レバーに対して遠のいた待機位置に復帰付勢する戻しバネを設けるとともに、前記戻しバネは、前記第１レバーと前記第２レバーとをそれらの先端部どうしが当接する閉じ状態に復帰付勢するバネを兼ねる構成とされている請求項２に記載の手動結束工具。
【請求項４】
前記係止片の先端部には、バンド部に当接する滑止め部が形成されるとともに、基端部には、前記第１レバーに枢支するための揺動支点が形成され、
前記連動機構は、前記滑止め部が前記取入れ溝に突出する方向に前記係止片を前記揺動支点回りに付勢する弾性部材と、前記第１レバーと前記第２レバーとの先端部どうしが当接する閉じ状態に復帰するに伴って前記滑止め部が前記取入れ溝から離反するように前記第２レバーが前記係止片を揺動移動させ、かつ、前記第１レバーと前記第２レバーとの先端部どうしが閉じ状態から離反移動するに伴って前記第２レバーの前記係止片への作用が解除されて前記滑止め部が前記取入れ溝に突出するように、前記係止片を前記第１レバーに配置することによって構成されており、
前記係止片が前記取入れ溝に突出して前記滑止め部がバンド部に当接している状態では、前記揺動支点が前記滑止め部よりもバンド引締め方向下手側に位置するセルフロック構造となるように構成されている請求項１〜３の何れか一項に記載の手動結束工具。
【請求項５】
前記引締め機構によるバンド部の引締め力を増減調節可能とする引締力調節装置が装備されている請求項１〜４の何れか一項に記載の手動結束工具。
【請求項６】
前記引締め機構によるバンド部の引締め力を増減調節可能とする引締力調節装置が装備されるとともに、前記第２レバーが、前記横向き溝を先端部に有し、かつ、前記枢支連結点を基端部に有する先端レバー部と、前記第１レバー側への揺動移動及び復帰移動が自在に前記先端レバー部に枢支連結される手元レバー部とで成る腰折れ可能レバーに構成されており、
前記引締力調節装置は、前記先端レバー部と前記手元レバー部との何れか一方に設けられる凹部と、いずれか他方に設けられる凸部と、前記凹部と前記凸部とが嵌り合った係合状態に押圧付勢する弾性機構とを備え、前記第１レバーと前記第２レバーとを握り込んでの前記引締め機構の作動によるバンド部の引締め力が所定値に達すると、前記弾性機構による押圧付勢力に抗して前記凹部と前記凸部との係合状態が解除されて前記手元レバー部が前記先端レバー部に対して腰折れ揺動するように、かつ、前記弾性機構の弾性付勢力を可変調節可能とすることで構成されている請求項１〜４の何れか一項に記載の手動結束工具。
【請求項７】
前記手元レバー部が、対向する一対の側壁とそれら側壁どうしを連結する連結壁とを有して断面がコ字形状となるように屈曲形成された板材から成り、前記弾性機構が、前記両側壁と前記連結壁とで囲まれた箇所にてレバー長手方向に沿って配置されるコイルバネを有して構成されるとともに、
前記引締力調節装置は、前記コイルバネの内側に挿通され、かつ、前記手元レバー部の手元側端壁を遊嵌状態で貫通される螺子軸と、この螺子軸を前記手元側端壁に軸方向移動不能で、かつ、回転自在に支持するための係合部材と、前記コイルバネの手元側端壁側において回り止め状態で前記螺子軸に螺装される駒部材と、前記螺子軸の前記手元側端壁から外部に突出する部分に取付られるツマミとを有しており、前記ツマミの回し操作による前記駒部材を介しての前記コイルバネの圧縮及び伸張により、前記弾性付勢力の可変調節が可能に構成されている請求項６に記載の手動結束工具。
【請求項８】
前記手元レバー部の前記先端レバー部への枢支連結点と、前記第２レバーの前記第１レバーへの枢支連結点とが互いに同じに構成されている請求項６又は７に記載の手動結束工具。
【発明の詳細な説明】
【技術分野】
【０００１】
本発明は、結束バンドの手動結束工具に関するものである。
【背景技術】
【０００２】
従来の、手動結束工具として、特許文献１において開示されるものがあった。これは、長手方向のやや先端よりの中間部において互いに枢支連結される受けレバーと作用レバーと、受けレバーに枢支されるカットレバーとから成り、結束対象物に巻かれて仮止めされている結束バンドに作用させて、バンドを引締めて良好に結束させるための手動式の工具である。
【０００３】
上記の手動結束工具は、作用レバーの先端部に結束バンドのバンド部を係止可能な機構を設け、受けレバーの先端部に結束バンドのヘッド部を受止め可能な構成としてあり、手指による受けレバーと作用レバーとの握り操作により、受けレバー及び作用レバーの先端部どうしが離反移動することを用いてバンド部をヘッド部に対して強制的に引張移動させて引締めることができる。そして、引締めた後には、カットレバーを握り込み操作することにより、その握り込みで突出移動する切断刃でバンド部をヘッド部の根元部分で切断できるようになっている。
【０００４】
その場合、予めバンド部をその先端部から、各レバー先端部に形成されているバンド挿入孔に挿入して通す操作が必要であり、その操作が面倒であった。即ち、手動結束工具を用いての結束に際しては、結束対象に仮止めされている結束バンドに対して工具を近付け移動することになるので、金属製で比較的重い工具を動かしてその先端部の小さい孔にバンド部を通す必要があるが、バンド部に比べて遥かに慣性質量の大きい工具を動かして孔に通す操作がやり難く、比較的時間が掛るものとなっていた。そのため、結束作業の数をこなす場合には手首等も疲労し易い傾向にあった。
【０００５】
このように、現状の手動結束工具による結束バンドの結束作業は、結束するための工具先端部へのバンドのセット操作が面倒で比較的時間が掛るものであって、結束作業を続けると疲れ易いものであり、改善の余地が残されているものであった。
【特許文献１】ＥＰ０８３６９９４Ａ１
【発明の開示】
【発明が解決しようとする課題】
【０００６】
本発明の目的は、上記実情に鑑みて、結束バンドのバンド部への工具先端部のセット操作が楽で簡単に行え、数をこなしても疲れ難いように改善された手動結束工具を実現して、提供する点にある。
【課題を解決するための手段】
【０００７】
請求項１に係る発明は、手動結束工具において、ヘッド部ｂを貫いて突出しているバンド部ａを前記ヘッド部ｂに対して強制的に引張る引締め機構ｃと、前記引締め機構ｃを手指操作で作動させるための引締め操作部ｄと、前記引締め機構ｃによって引締められた前記バンド部ａを、前記ヘッド部ｂから引締め方向下手側に突出する部分における前記ヘッドｂ部付近の箇所において切断させる切断機構ｅと、前記切断機構ｅを手指操作で作動させるための切断操作部ｆと、を工具本体Ａｈに有するとともに、
前記工具本体Ａｈが、前記バンド部ａを保持可能なバンド保持部ｇを先端部に有する第１レバー１と、前記ヘッド部ｂの通過は不能で、かつ、前記バンド部ａの通過は許容する横向き溝ｍ２を先端部に有する第２レバー２とを、これら各レバー１，２の長手方向の中間部において枢支連結することで構成されており、前記第１レバー１における前記第２レバー２との枢支連結点Ｐに対する前記保持部ｇと反対側となる第１基端部１Ａと、前記第２レバー２における前記第１レバー１との枢支連結点Ｐに対する前記横向き溝ｍ２と反対側となる第２基端部２Ａとの手指による握り込みによる前記バンド保持部ｇと前記横向き溝ｍ２との離反移動によって前記引締め機構ｃが作動する状態に構成され、
前記第２レバー２に枢支連結される切断レバー３の前記第２レバー側への握り込みによって前記切断機構ｅが作動する状態に構成され、
前記バンド保持部ｇは、前記第１レバー１の先端部に前記横向き溝ｍ２と同方向に形成される取入れ溝ｍ１と、前記取入れ溝ｍ１に配置されるバンド部ａを押付け可能な係止片４と、前記第１レバー１と前記第２レバー２との手指による握り込みの開始に伴って前記係止片４を押付け移動させる連動機構ｒとから構成され、
前記引締め機構ｃに対して前記バンド部ａを位置させる引締め配置操作、及び前記切断機構ｅに対して前記バンド部ａを位置させる切断配置操作の双方が、前記工具本体Ａｈと前記バンド部ａとのバンド部長手方向に対する横方向への相対移動によって行われるように構成されていることを特徴とするものである。
【０００８】
請求項２に係る発明は、請求項１に記載の手動結束工具において、前記切断機構ｅは、前記第２レバー２の先端部における第１レバー側とは反対側において前記横向き溝ｍ２を横切り移動可能な切断刃３３を設け、前記切断レバー３の前記第２レバー側への握り込みによって前記切断刃３３が横向き溝ｍ２を横切り移動するように、前記切断刃３３と前記切断レバー３とを連動連結することで構成されていることを特徴とするものである。
【０００９】
請求項３に係る発明は、請求項２に記載の手動結束工具において、前記切断刃３３をこれが前記横向き溝ｍ２を横切り移動する前の退入位置に維持させるべく、前記切断レバー３を前記第２レバー２に対して遠のいた待機位置に復帰付勢する戻しバネ５を設けるとともに、前記戻しバネ５は、前記第１レバー１と前記第２レバー２とをそれらの先端部１Ｂ，２Ｂどうしが当接する閉じ状態に復帰付勢するバネを兼ねる構成とされていることを特徴とするものである。
【００１０】
請求項４に係る発明は、請求項１〜３の何れか一項に記載の手動結束工具において、前記係止片４の先端部には、バンド部ａに当接する滑止め部４Ａが形成されるとともに、基端部には、前記第１レバー１に枢支するための揺動支点ｐ１が形成され、
前記連動機構ｒは、前記滑止め部４Ａが前記取入れ溝ｍ１に突出する方向に前記係止片４を前記揺動支点ｐ１回りに付勢する弾性部材７と、前記第１レバー１と前記第２レバー２との先端部１Ｂ，２Ｂどうしが当接する閉じ状態に復帰するに伴って前記滑止め部４Ａが前記取入れ溝ｍ１から離反するように前記第２レバー２が前記係止片４を揺動移動させ、かつ、前記第１レバー１と前記第２レバー２との先端部１Ｂ，２Ｂどうしが閉じ状態から離反移動するに伴って前記第２レバー２の前記係止片４への作用が解除されて前記滑止め部４Ａが前記取入れ溝ｍ１に突出するように、前記係止片４を前記第１レバー１に配置することによって構成されており、
前記係止片４が前記取入れ溝ｍ１に突出して前記滑止め部４Ａがバンド部ａに当接している状態では、前記揺動支点ｐ１が前記滑止め部４Ａよりもバンド引締め方向下手側に位置するセルフロック構造となるように構成されていることを特徴とするものである。
【００１１】
請求項５に係る発明は、請求項１〜４の何れか一項に記載の手動結束工具において、前記引締め機構ｃによるバンド部ａの引締め力を増減調節可能とする引締力調節装置Ｃが装備されていることを特徴とするものである。
【００１２】
請求項６に係る発明は、請求項１〜４の何れか一項に記載の手動結束工具において、前記引締め機構ｃによるバンド部ａの引締め力を増減調節可能とする引締力調節装置Ｃが装備されるとともに、前記第２レバー２が、前記横向き溝ｍ２を先端部に有し、かつ、前記枢支連結点Ｐを基端部に有する先端レバー部２Ｂと、前記第１レバー側への揺動移動及び復帰移動が自在に前記先端レバー部２Ｂに枢支連結される手元レバー部２Ａとで成る腰折れ可能レバーに構成されており、
前記引締力調節装置Ｃは、前記先端レバー部２Ｂと前記手元レバー部２Ａとの何れか一方に設けられる凹部１２ｃと、いずれか他方に設けられる凸部３４と、前記凹部１２ｃと前記凸部３４とが嵌り合った係合状態に押圧付勢する弾性機構ｈとを備え、前記第１レバー１と前記第２レバー２とを握り込んでの前記引締め機構ｃの作動によるバンド部ａの引締め力が所定値に達すると、前記弾性機構ｈによる押圧付勢力に抗して前記凹部１２ｃと前記凸部３４との係合状態が解除されて前記手元レバー部２Ａが前記先端レバー部２Ｂに対して腰折れ揺動するように、かつ、前記弾性機構ｈの弾性付勢力を可変調節可能とすることで構成されていることを特徴とするものである。
【００１３】
請求項７に係る発明は、請求項６に記載の手動結束工具において、前記手元レバー部２Ａが、対向する一対の側壁３６，３６とそれら側壁どうし３６，３６を連結する連結壁３７とを有して断面がコ字形状となるように屈曲形成された板材から成り、前記弾性機構ｈが、前記両側壁３６，３６と前記連結壁３７とで囲まれた箇所にてレバー長手方向に沿って配置されるコイルバネ３２を有して構成されるとともに、
前記引締力調節装置Ｃは、前記コイルバネ３２の内側に挿通され、かつ、前記手元レバー部２Ａの手元側端壁２３を遊嵌状態で貫通される螺子軸２７と、この螺子軸２７を前記手元側端壁２３に軸方向移動不能で、かつ、回転自在に支持するための係合部材２９と、前記コイルバネ３２の手元側端壁側において回り止め状態で前記螺子軸２７に螺装される駒部材２８と、前記螺子軸２７の前記手元側端壁２３から外部に突出する部分に取付られるツマミ２７ａとを有しており、前記ツマミ２７ａの回し操作による前記駒部材２８を介しての前記コイルバネ３２の圧縮及び伸張により、前記弾性付勢力の可変調節が可能に構成されていることを特徴とするものである。
【００１４】
請求項８に係る発明は、請求項６又は７に記載の手動結束工具において、前記手元レバー部２Ａの前記先端レバー部２Ｂへの枢支連結点Ｐと、前記第２レバー２の前記第１レバー１への枢支連結点Ｐとが互いに同じに構成されていることを特徴とするものである。
【発明の効果】
【００１５】
本発明によれば、バンド部の引締めを行うべくバンド部の工具本体への配置操作が、工具本体を横移動させるだけで可能になるから、工具本体の先端部に形成されている挿通孔にバンド部をその先端開放側からバンド部の挿通させるとともにバンド部の長手方向に沿って移動させることとなる従来の工具に比べて、バンド部の引締め配置操作及び切断配置操作、即ちセット操作が簡単で迅速に行うことができる。その結果、結束バンドのバンド部への工具先端部のセット操作が楽で簡単に行え、数をこなしても疲れ難いように改善された手動結束工具を実現して提供することができる。また、ヘッド部とバンド部とが分離されていて、コイル状に巻かれた超長尺状バンド部から適宜の長さに切断して用いる構造の結束バンドには、上記従来の工具は使用不能であったが、横移動させてセット操作できる本発明の手動結束工具では、そのような構造の結束バンドの結束にも可能となる利点もある。
【００１６】
請求項１のように、第１レバーと第２レバーとの握り込みによって引締め機構が作動し、第１レバーと切断レバーとの握り込みによって切断機構が作動する構成とすれば、手指による操作が行い易いとともに、工具本体を横移動によるセット操作が、第１及び第２レバーそれぞれの先端部に形成される各溝にバンド部を取入れる簡単な操作で行える便利な手動結束工具が提供できる。
【００１７】
請求項２のように、切断レバーの握り込みによって切断刃が横向き溝を横切り移動する構成を採用すれば、構造簡単なものとしながら極力ヘッド部から切残しが突出しない状態で余剰のバンド部を切断させることが可能になる。
【００１８】
請求項３のように、切断刃を退入位置に戻す戻しバネが、第１レバーと第２レバーとを閉じ状態に復帰付勢するバネを兼ねる構成とすれば、それぞれに戻しバネを設ける構成に比べてバネ数を削減することができ、コストダウン及び構造のシンプル化が可能となる合理的な手動結束工具とすることができる。
【００１９】
請求項４のように、揺動可能に支持される係止片のセルフロック構造によって構成されるバンド保持部により、引締め機構による引張力を用いてバンド部をその引張力に抗して強固に保持できる合理構造が得られるとともに、第１レバーと第２レバーとの握り込み解除に伴って係止片のバンド保持が解除され、第１レバーと第２レバーとの握り込みによってバンド保持が開始されるので、バンド保持のための特別な動作が不要であって、単にレバーの握り込み及び解除操作のみでバンド部の保持及び引締め、並びにバンド部の保持及び切断が行える扱い易く操作し易い手動結束工具が得られている。
【００２０】
請求項５のように、引締力の調節が行える引締力調節装置を設ければ、引締力が結束バンド毎にばらつくとか、単一種の結束バンドでも作業者が異なれば引締力に差が出ると行ったことが無く、誰が作業しても複数の結束バンドを均一な引締力でもって結束できる有用な手動結束工具を提供することができる。また、結束対象や結束バンドの種類によって引締力を適宜に調節設定できる便利さもある。
【００２１】
請求項６のように、第２レバーを腰折れレバーとして、引締力が設定値に達すると先端レバー部に対して手元レバー部が折れ曲がるようにすれば、引締力が設定値に維持されるとともに、その折れ曲がりによって引締力が設定値に到達したことを作業者に知らしめることができるものとなる。そして、その折れ曲がりのし難さ調節によって設定引締力の調節設定が行えるものとなる。その結果、手指による握り込み操作を行うだけで設定引締力の検知及びその設定値の保持、並びにそのことの作業者への報告が一挙に行えて使い勝手に優れる手動結束工具が提供できている。
【００２２】
請求項７の発明は、請求項６の引締力調節装置の具体化であって、コイルバネで凹部と凸部とを押付けあって嵌り合うことによる係合状態が、第１レバーと第２レバーとの握り力が所定以上になると解かれて第２レバーが腰折れする構成であり、コイルバネ、ネジ軸、ツマミ等の構成部材が全て第２レバーに装備されており、収まりが良くコンパクトに引締力調節装置を構成することができる。
【００２３】
請求項８のように、第２レバーにおける先端レバー部と手元レバー部との枢支連結点と、第１及び第２レバーの枢支連結点とを同じとして、構成のシンプル化やコストダウンが可能となる合理化構成が促進された好ましい手動結束工具を提供可能である。
【発明を実施するための最良の形態】
【００２４】
以下に、本発明による手動結束工具の実施の形態を、図面を参照しながら説明する。図１〜図５は結束工具の全体斜視図や各種部品図、図６は工具の横移動によるバンド部のセット操作を示す作用図、図７〜図１３はバンド結束一連の操作工程を順に示す作用図、図１４，１５は実施例２の手動結束工具によるバンド結束操作を示す作用図である。
【００２５】
〔実施例１〕
実施例１による手動結束工具Ａは、図１，図７に示すように、バンド保持部ｇを先端部に有する第１レバー１、及び横向き溝を先端部に有する第２レバー２とを、それらの長手方向におけるやや先端より中間位置において主軸心（枢支連結点の一例）Ｐで枢支連結して成る工具本体Ａｈと、第２レバー２に第３軸心ｐ３で枢支連結される切断レバー３と、結束バンドＢのバンド部ａを引締める引締め機構ｃと、これを作動させるための引締め操作部ｄと、バンド部ａを切断する切断機構ｅと、これを作動させるための切断操作部ｆと、を有して構成されている。
【００２６】
ここで、実施例１の手動結束工具Ａによる一連の結束操作について簡単に説明すると、まず、手動結束工具Ａを横移動させて、結束対象Ｋに仮止めされている結束バンドＢのヘッド部ｂを貫いて上方に突出しているバンド部ａを、相対的に工具先端の取入れ溝ｍ１及び横向き溝ｍ２に取込む（図６参照）。そして、第２レバー２が腰折れ変位するまで、第１レバー１と第２レバー２とのそれぞれの基端部１Ａ，２Ａを１回又は複数回握り込み操作し、バンド部ａを所定の引締力で引締める（図７〜１０参照）。それから、切断レバー３を握り込み操作して切断機構ｅを作動させ、ヘッド部ｂの間近でバンドａを切断させる（図１１〜１３参照）、というものである。
【００２７】
実施例１において用いられる結束バンドＢは、図６等で示されるように、長尺帯状のバンド部ａと、これとは別体のヘッド部ｂとから成る分離型で公知のものである。ヘッド部ｂは、一対の挿通孔と、それら各挿通孔においてバンド部ａに作用可能な係止爪とを装備して構成されており、いずれの挿通孔も互いに同じ方向（矢印ロ方向）にはバンド部ａの通過は許容し、反対方向（矢印ハ方刃）には係止爪に係止されて移動不能となる公知の構造に構成されている。つまり、バンド部ａは必要な長さ分だけ取り出して使える経済的なものとなっている。
【００２８】
さて、第１レバー１は、図１，図２に示すように、バンド部ａを保持可能なバンド保持部ｇを先端部に有するものであって、断面形状が下向き開放コ字状で板金製の第１レバー部材１ａと、その先端部に溶着等で一体化される鋳鉄製の第１先端部材１ｂとから構成されている。図２（ａ），（ｂ）に示すように、第１レバー部材１ａのやや先端寄りで下方の位置には、主軸心Ｐを有する頭付きピン状の主軸１５を回動自在に挿通する主孔１６、及び後述する係止片４を枢支する枢支軸３８を挿通する枢支孔３９が形成されている。第１レバー１においては、主軸心Ｐより基端側を第１基端部１Ａ、先端側を第１先端部１Ｂとそれぞれ呼ぶものとする。
【００２９】
第１先端部１Ｂの内側部分には係止片４が揺動自在に枢支連結されており、第１レバー部材１ａの内側部分にはコイルバネ製の戻しバネ５が配備されている。第１レバー部材１ａには、その上壁を部分的に切り込んで下方に落とし込むことにより、戻しバネ５を引掛けるためのフック部８が形成されている。第１先端部材１ｂの先端部には、平面視でＬ字形状を呈する第１先端部材１ｂの横向き部６と第１レバー部材１ａの先端とにより、上下及び左側が開放された取入れ溝ｍ１が形成されている。この取入れ溝ｍ１は、バンド部ａが上下に通される箇所として形成されている。
【００３０】
第２レバー２は、図１，図３，図４に示すように、ヘッド部ｂの通過は不能で、かつ、バンド部ａの通過は許容する横向き溝ｍ２を先端部に有するものであって、第１レバー１が枢支される主軸心Ｐを有する第２先端部（先端レバー部の一例）２Ｂと、主軸心Ｐで第２先端部２Ｂに枢支連結される第２基端部（手元レバー部の一例）２Ａと、これら第２先端部２Ｂと第２基端部２Ａとに跨って形成される引締力調節装置Ｃとから構成されている。つまり、第２レバー２が、横向き溝ｍ２を先端部に有し、かつ、枢支連結点Ｐを基端部に有する先端レバー部２Ｂと、第１レバー側への揺動移動及び復帰移動が自在に先端レバー部２Ｂに枢支連結される手元レバー部２Ａとで成る腰折れ可能レバーに構成されているのである。
【００３１】
第２先端部２Ｂは、図３（ａ），（ｂ），（ｃ）に示すように、板金製の支持金具９と、鋳鉄製の先端金具１０とを溶着等で一体化して成るものであり、主軸心Ｐを持つ主孔１１、規制部材（後述）１２を取付けるための装着孔１３、切断レバー３を枢支するための枢支孔１４が形成されるとともに、先端金具１０に形成される左向き開放状の横向き溝ｍ２を有して構成されている。支持金具９は上向き開放コ字状に屈曲された部材であり、先端金具１０は、補強用の縦リブ部１０ｂが、ベース部１０ａの右側から先端に亘って立ち上がる状態に形成さされている。横向き溝ｍ２は、右に奥深く切り込まれる状態でベース部１０ａに形成されている。
【００３２】
第２基端部２Ａは、図４（ａ），（ｂ），（ｃ）に示すように、断面が上向き開放コ字状となるように鋼板を屈曲形成して成る板金製の第２レバー部材で構成されている。第２レバー部材２Ａは、主軸１５が通る主孔１７と、円弧状の逃げ切欠き１８とが形成される先端幅狭部２ｂと、枢支孔１９、長孔２０、長切欠き２１、ストッパ部２２、及び調節用孔２３ａが形成される第２レバー部２ａとを有して構成されている。この第２基端部２Ａと第２先端部２Ｂとは、主軸１５を介して主軸心Ｐで腰折れ揺動可能に連結されており、その主軸１５は第１レバー１と第２レバー２との枢支連結機能も兼ねている。
【００３３】
切断レバー３は、図１，図６，図７に示すように、上向き開放コ字状の断面形状を持つ板金材で成り、先端に切断刃３３を押すための作用バー３ａを有するとともに、頭付きピン状の揺動軸４０を介すること第３軸心ｐ３で揺動可能に第２レバー２に枢支されている。揺動軸４０は、第２先端部２Ｂの、より具体的には先端金具１０の枢支孔１４に挿通されて支持されている。そして、作用バー３ａが戻しバネ５で退入位置ｉに復帰付勢される切断刃３３に背面当接していることにより、切断レバー３は、作用バー３ａが支持金具９に当接すること定まる待機位置ｔに復帰付勢されている。
【００３４】
バンド保持部ｇは、第１レバー１の先端部に横向き溝ｍ２と同方向に形成される取入れ溝ｍ１と、取入れ溝ｍ１に配置されるバンド部ａを押付け可能な係止片４と、第１レバー１と第２レバー２との手指による握り込みの開始に伴って係止片４を押付け移動させる連動機構ｒとから構成されている。係止片４の先端部には、バンド部ａに当接するギザギザ面状の滑止め部４Ａが形成されるとともに、基端部には、第１レバー１に枢支するための揺動支点である第１軸心ｐ１が形成されており、取入れ溝ｍ１の直後における第１レバー部材１ａに頭付きピン状の枢支軸３８を介して枢支されている。そして、滑止め部４Ａが横向き部６に当接する方向（矢印イ方向であり、取入れ溝ｍ１に突出する方向）に巻きバネ７によって揺動付勢されている。
【００３５】
連動機構ｒは、滑止め部４Ａが取入れ溝ｍ１に突出する方向に係止片４を第１軸心ｐ１回りに付勢する巻きバネ（弾性部材の一例）７と、第１先端部１Ｂと第２先端部２Ｂどうしが当接する閉じ状態に復帰するに伴って滑止め部４Ａが取入れ溝ｍ１から離反するように第２レバー２が係止片４を揺動移動させ、かつ、第１先端部１Ｂと第２先端部２Ｂどうしが閉じ状態から離反移動するに伴って第２レバー２の係止片４への作用が解除されて滑止め部４Ａが取入れ溝ｍ１に突出するように、係止片４を第１レバー１に配置することによって構成されている。そして、係止片４が取入れ溝ｍ１に突出して滑止め部４Ａがバンド部ａに当接している状態（図８，１２等を参照）では、第１軸心ｐ１が滑止め部４Ａよりもバンド引締め方向（矢印ニ方向）下手側に位置するセルフロック構造となるように構成されている。
【００３６】
引締め機構ｃは、図１，図７，図８に締示すように、ヘッド部ｂを貫いて突出しているバンド部ａをヘッド部ｂに対して強制的に引張るものであって、第１レバー１、バンド保持部ｇ、第２レバー２、第２先端部２Ｂ、及びバンド保持部ｇ等から構成されている。つまり、取入れ溝ｍ１及び横向き溝ｍ２にバンド部ａが取入れられ、かつ、第２先端部２Ｂの下方にヘッド部ｂが位置する状態で、第１基端部１Ａと第２基端部２Ａとを握り込み操作する（図７参照）。すると、第１端部１Ｂと第２先端部２Ｂとが互いに離れる方向に主軸心Ｐ回りに揺動移動、即ち離反移動することによって、ヘッド部ｂからバンド部ａを引き抜く方向（矢印ニ方向）に強制的に引張移動させ、結束対象Ｋに巻かれているバンド部ａを引締めるのである（図８参照）。この場合、第１先端部１Ｂと第２先端部２Ｂとを離反移動させるために握り込まれる第１基端部１Ａと第２基端部２Ａとで引締め操作部ｄが構成されている。
【００３７】
切断機構ｅは、図１，図７〜図９に示すように、第２レバー２の先端部における第１レバー側とは反対側において横向き溝ｍ２を横切り移動可能な切断刃３３を設け、切断レバー３の第２レバー側への握り込みによって切断刃３３が横向き溝ｍ２を横切り移動するように、切断刃３３と切断レバー３とを連動連結することで構成されている。具体的には、先端に刃３３ａを有する横臥刃部３３Ａと、受面３３ｂと基端フック３３ｃとを有する縦壁部３３Ｂとから成る切断刃３３と、受面３３ｂを前方に移動可能な作用バー３ａを有する切断レバー３と、フック３３ｃに前端部が引掛けられる戻しバネ５とを有して切断機構ｅが構成されている。横臥刃部３３Ａは、その下方に位置する止め部材３５と先端金具１０との間に、先端金具１０の下面に沿って前後スライド移動自在に装備されている。止め部材３５は、その後端部が支持金具９の前端部に係合されており、側方から１本の止めビス４２によって先端金具１０に装着されている。
【００３８】
切断刃３３は、その基端フック３３ｃに作用する戻しバネ５によって、自由状態では、図７や図１１に示すように、刃３３ａは横向き溝ｍ２の手前に位置して受面３３ｂが作用バー３ａに当接する退入位置（刃待機位置）ｉに戻り付勢されており、切断レバー３は、作用バー３ａが支持金具９の前側に当接する待機位置ｔに復帰付勢されている。尚、作用バー３ａが支持金具９を後方（基端側）に押す構造により、切断刃３３を退入位置ｉに復帰付勢する戻しバネ５は、第１レバー１と第２レバー２とをそれらの基端部１Ａ，２Ａどうしが互いに離れる方向に復帰付勢させるバネを兼ねる構成となっている。
【００３９】
前記待機状態において切断レバー３を第１レバー１と共に握り込むと、作用バー３ａが受面３３ｂを押して切断刃３３を前進移動させようとするが、巻きバネ７で揺動付勢されている係止片４が第２先端部２ｂを下方に押している作用により、第２レバーと切断レバー３とは一体となって揺動移動し、それによってバンド部ａがバンド保持部ｃで係止保持される（図１２参照）。第２レバー２は開き位置Ｒから尚も、切断レバー３を握り込むと、切断レバー３は相対的に第２基端部２Ａに対しても接近することとなり、作用バー３ａが受面３３ｂを押すことで切断刃３３が第２レバー２に対して矢印ホ方向にスライド移動し、ヘッド部ｂぎりぎりの箇所でバンド部ａが刃３３ａによって切断される（図１３参照）。この場合、第１レバー１と切断レバー３とで、切断機構ｅを手指操作で作動させるための切断操作部ｆが構成されている。
【００４０】
引締力調節装置Ｃは、図１，図５，図７に示すように、引締め機構ｃによるバンド部ａの引締め力を増減調節可能とする装置であり、規制部材１２と、作用アーム２４と、中間リンク２５と、スライド部材２６と、調節ネジ軸２７と、受板部材（駒部材の一例）２８と、係止用ボス（係合部材の一例）２９等を有してほぼ第２基端部２Ａに収容される状態で構成されている。規制部材１２は、装着孔１３に通される頭付きピン状の取付軸３０を通す装着用孔１２ａと、主軸１５を通す主軸用孔１２ｂと、係合凹入部（凹部の一例）１２ｃと、これに続く逃げ移動面１２ｄとを有するブロック材で形成されており、主軸１５と取付軸３０とによって第２先端部２Ｂに対して位置固定状態で連結されるものである。
【００４１】
帯状鋼板の折返しで成るスライド部材２６が、長孔２０を通る頭付きピン状で一対のピン軸３１，３１を介して第２レバー部２ａの内側部分に前後スライド自在に装備され、このスライド部材２６の基端側に、調節ネジ軸２７のネジ軸部２７Ａの先端部が相対回動自在に挿入されている。調節ネジ軸２７は、第２レバー部２ａの手元側端壁２３に貫通される調節用孔２３ａを通して係止用ボス２９を相対移動不能に外嵌することにより、左右に回動自在に第２レバー部２ａに装備されている。ネジ軸部２７Ａには、長切欠き２１に臨むマーク部２８ａを有する略四角形状の受板部材２８が螺合されるとともに、その受板部材２８とスライド部材２６との間には、ネジ軸部２７Ａに嵌装される状態の圧縮コイルバネ（弾性機構ｈの一例）３２が配備されている。
【００４２】
作用アーム２４は、一対のＬ字鋼板２４ａ，２４ａと段付ピン２４ｂとで成り、下端部が頭付きピン状の支軸４１を介して第２レバー部２ａの枢支孔１９に第２軸心ｐ２で揺動可能に枢支されている。作用アーム２４は、一対の鋼板で成る中間リンク２５を介してスライド部材２６の先端部に連結されており、中間リンク２５は、段付ピン２４ｂを介して作用アーム２４に、かつ、ピン軸３１を介してスライド部材２６に夫々枢支連結されている。そして、規制部材１２の係合凹入部１２ｃに嵌り込み係合可能な円筒状のローラ（凸部の一例）３４が、作用アーム２４の段付ピン２４ｂに遊外嵌されている。このような構成により、圧縮コイルバネ３２がスライド部材２６及び中間リンク２５を介して作用アーム２４を第２軸心ｐ２回りに規制部材１２に押圧付勢しており、ローラ３４が係合凹入部１２ｃに押圧付勢される状態で係合されるので、それによって第２基端部２Ａと第２先端部２Ｂとが通常は一体化されている。従って、第１基端部１Ａと２基端部２Ａとを互いに接近するように握り込みめば、第１先端部１Ｂと第２先端部２Ｂとは離反移動する。
【００４３】
第１先端部１Ｂと第２先端部２Ｂとの離反移動によってバンド部ａの引締力が設定値に達しても、尚も第２レバー部２ａを握り込むと、圧縮コイルバネ３２によるローラ３４と係合凹入部１２ｃとの係合力に抗してローラ３４を逃げ移動面１２ｄに乗り上げ移動させ、主軸心Ｐ回りに第２基端部２Ａが第２先端部２Ｂに対して上昇揺動、即ち腰折れ揺動し、引締力がそれ以上大きくならないように機能するのである（図１０参照）。そして、その設定引締力はローラ３４と係合凹入部１２ｃとの係合力、即ち圧縮コイルバネ３２の弾性力に依存されるので、外部露出されているツマミ２７ａの回動操作により、受板部材２８の位置を前方に（主軸心Ｐ側に）移動させて圧縮コイルバネ３２を圧縮すれば、設定値が高くなって引締力を大きくすることができ、受板部材２８の位置を後方に（ツマミ２７ａ側に）移動させて圧縮コイルバネ３２を伸張すれば、設定値が低くなって引締力を小さくすることができるのである。
【００４４】
図７は、例として、受板部材２８が最も摘み２７ａ側に寄って圧縮コイルバネ３２が最も伸張して緩い引締力に調節されている状態を示している。このときマーク部２８ａは、図５（ａ）に仮想線で示すように、長切欠き２１の最基端側に位置している。図５（ａ）は、受板部材２８のマーク部２８ａが長切欠き２１の中央に位置するように摘み２７ａを回した中間引締力設定状態であり、図５（ｂ）は、マーク部２８ａが長切欠き２１の最先端側に位置するように摘み２７ａを回した最強引締力設定状態である。
【００４５】
次に、実施例１による手動結束工具を用いての一連の結束操作について説明する。まず、図６に示すように、手動結束工具Ａを横移動させて、結束対象Ｋに仮止めされている結束バンドＢのバンド部ａを取入れ溝ｍ１及び横向き溝ｍ２に取り込み、それから手動結束工具Ａを少し下げてヘッド部ｂに近付けるように移動させ、図７に示す引締め開始状態に移行させる。図７に示す引締め開始状態では、第２先端部２Ｂの下面にヘッド部ｂが当接する状態が望ましいが、そうでなくても良い。尚、図７において、実線で示す第２レバー２は、第１レバー１に対する開き位置Ｒであり、仮想線で示す第２レバー２は、ストッパ部２２が第１レバー１に当接した第１レバー１に対する限界の閉じ位置Ｔをそれぞれ示している。また、図７においてｈｙ，ｎｙ，ｋｙ，ｃｙは、それぞれ第２レバーを握る手指の人差し指、中指、薬指、小指である。
【００４６】
それから、第１レバー１の基端部１Ａと第２レバー２の基端部２Ａとを手指で握り込み操作し、図８に示すように、第２レバー部２ａのストッパ部２２が第１レバー１の裏面に当接するまで第１レバー１と第２レバー２とを主軸心Ｐ回りに揺動移動させ、第１先端部１Ｂと第２先端部２Ｂとを離反移動させ、バンド部ａを引張って結束対象ｋを引締める。このとき、後の切断工程の際に詳しく説明するが、図７に示す引締め開始状態からの若干の握り込み（開き位置Ｒ→保持開始位置Ｖ：図１２参照）によってバンド保持部ｇが作動し、係止片４が突出移動して滑り止め部４Ａと横向き部６との間にバンド部ａを挟み込んでのセルフロック作用によって強固に係止保持させルことが可能であり、その後の両先端部１Ｂ，２Ｂの離反移動による引締めを可能とする状態が得られている。
【００４７】
さて、図８に示す引締め終了状態では握り込みを解除し、図７に示す引締め開始状態に戻す。そして、再び第１基端部１Ａと第２基端部２Ａとを握り込み、二回目の引締めを開始する。それから、図９に示すように、二回目もしくは三回目以降の握り込み途中の途中位置Ｑにて設定引締め力に達すると、図１０に示すように、主軸心Ｐ回りに第２基端部２Ａが第２先端部２Ｂに対して腰折れ揺動し、第２先端部２Ｂは動かずに設定引締め力が維持されるとともに、急に握り込みが軽くなったことで作業者は設定引締め力に達したことが分ることとなる。この腰折れ揺動状態では、それ以上握り込み操作を行っても第２先端部２Ｂは動かず、従って引締め機構ｃによる引締め作用が不能になる。尚、設定引締め力は、前述した引締力調節装置Ｃによって予め設定されている。
【００４８】
バンド部ａの引締めが済むと、今度は図１１に示すように、第２レバー２に掛けていた手指ｈｙ，ｎｙ，ｋｙ，ｃｙを切断レバー３に掛け直して第１レバー１とに跨って握る切断開始状態に変更し、引締められた後のバンド部ａが再度取入れ溝ｍ１及び横向き溝ｍ２に取り込まれ手いる状態にする。引締め終了に伴って、一旦バンド部ａが各溝ｍ１，ｍ２から離れた場合には、再度手動結束工具Ａを横移動させてバンド部ａを各溝ｍ１，ｍ２に取り込む。図１１に示す手動結束工具Ａの自由状態では、切断レバー３は第２レバー２に対して開き切った待機位置ｔにある。
【００４９】
切断開始状態から若干、即ち、連れ揺動する第２レバー２が開き位置Ｒから保持開始位置Ｖに位置するように、待機位置ｔにある切断レバー３を作用開始位置ｖまで握り込むと、図１２に示すように、第１先端部１Ｂと第２先端部２Ｂとが少し離反して連動機構ｒが作動して係止片４が取入れ溝ｍ１に突出する方向に揺動移動し、滑止め部４Ａがバンド部ａに当接したバンド保持状態が齎される。厳密には、滑止め部４Ａがバンド部ａに当接し、かつ、その状態から第２先端部２Ｂが相対的に第１先端部１Ｂから僅かに離反移動してバンド部ａを引張り、それによって係止片４が矢印イ方向に揺動しようとしてセルフロック作動が生じ、横向き部６と係止片４とでバンド部ａを強固に係止保持することができる。尚、切断レバー３は、第１レバー１に対しては待機位置ｔから作用開始位置ｖに揺動移動するが、連れ揺動する第２レバー２には相対的に握り込まれる方向には揺動移動しておらず、切断刃３３は依然として退入位置ｉにある。
【００５０】
図１２に示す状態からなおも握り込んで、切断レバー３を第２レバー２に対して待機位置ｔから握込み位置ｓに上昇揺動移動させると、戻しバネ５の付勢力に抗して作用バー３ａが縦壁部３３Ｂを押して第２先端部２Ｂに対して切断刃３３を突出位置ｑまで突出移動させ、図１３に示すように、横向き溝ｍ２の下端位置、即ちヘッド部ｂの上面すれすれの位置でバンド部ａが切断されるのである。このバンド切断工程においては、切断レバー３の握り込みによって第２レバー２が連れ動きしようとして、それによってバンド保持機構ｇが作動してバンド部ａが引張られて緊張されており、スライド移動する刃３３ａで円滑、良好にバンド部ａの切断が行えるものとなっている。切断されて取入れ溝ｍ１及び横向き溝ｍ２に残っているバンド部ａは、そのバンド部ａと手動結束工具Ａとを相対横移動させることにより、容易に各溝ｍ１，ｍから取り外すことができ、次の結束作業に備えることができる。
【００５１】
〔実施例２〕
実施例２による手動結束工具Ａは、実施例１の結束工具における引締力調節装置Ｃが装備されないタイプであり、それ以外は基本的に同じものである。具体的には、第２レバー２が腰折れレバーではなく、単一のレバーとして構成されている。即ち、第１レバー１と、第２レバー２と、切断レバー３と、引締め機構（符記省略）と、引締め操作部ｄと、切断機構（符記省略）と、切断操作部ｆと、バンド保持部（符記省略）とを有して構成されている。
【００５２】
実施例２の手動結束工具を用いた一連の結束方法を説明すると、まず図１４（ａ）に示すように、バンド部ａの開放側をヘッド部ｂに通してパイプ等の結束対象Ｋに結束バンドＢを仮止め装着する。この場合の結束バンドＢは、バンド部ａとヘッドｂとが一体となった普及型のものである。次に、図１４（ｂ）に示すように、手動結束工具Ａを横移動（この場合は左移動）させて、ヘッド部ｂから突出しているバンド部ａを取入れ溝ｍ１及び横向き溝ｍ２に取り込む操作を行う。
【００５３】
各溝ｍ１，ｍ２にバンド部ａを取り込んだら、図１５（ａ）に示すように、第１基端部１Ａと第２基端部２Ａとを握り込み操作してバンド部ａを引張り、結束対象Ｋに巻回されている部分のバンド部ａを引締めていく。そして、一回又は複数回の引締め操作によって適宜に引締められた後に、図１５（ｂ）に示すように、第２レバー２に掛けられていた手指を切断レバー３に掛け直してから握り込み操作し、ヘッド部ｂから突出している余剰バンド部をヘッド部ｂの直上で切断するのである。この場合の引締め力は、手動結束工具Ａを操作する作業者の感覚によって定められるものであり、実施例１の工具のように機械的に一定の値に揃えられるものではない。
【図面の簡単な説明】
【００５４】
【図１】実施例１による手動結束工具の全体斜視図
【図２】第１レバーを示し、（ａ）は側面図、（ｂ）は底面図
【図３】第２先端部を示し、（ａ）は側面図、（ｂ）は底面図、（ｃ）は斜視図
【図４】第２基端部を示し、（ａ）は側面図、（ｂ）は矢視Ｚ図、（ｃ）は斜視図
【図５】引締力調節装置の構造を示し、（ａ）は引締力が中間値状態の一部切欠き側面図と部分側面図、（ｂ）は最大引締力状態の一部切欠き側面図と部分側面図
【図６】工具を横移動させてバンド部を工具先端部に取り込む状態を示す斜視図
【図７】バンド部の引締め開始状態を示す作用図
【図８】バンド部を引締める引締め工程を示す作用図
【図９】バンド部の引締め力が設定値に達した状態の一例を示す作用図
【図１０】引締力調節装置の作動による第２レバーの腰折れ揺動状態を示す作用図
【図１１】バンド部の切断開始状態を示す作用図
【図１２】切断レバーの握り込み開始に伴うバンド保持状態を示す作用図
【図１３】切断レバーの握り込みによるバンド部の切断工程を示す作用図
【図１４】実施例２の手動結束工具を示し、（ａ）は結束バンドの仮止め工程を示す作用図、（ｂ）はバンド部のセット工程を示す作用図
【図１５】図１４の工具の作用図を示し、（ａ）は引締め工程、（ｂ）は切断工程
【符号の説明】
【００５５】
１          第１レバー
１Ａ        第１基端部
１Ｂ        第１先端部
２          第２レバー
２Ａ        第２基端部、手元レバー部
２Ｂ        第２先端部、先端レバー部
３          切断レバー
４          係止片
４Ａ        滑止め部
５          戻しバネ
７          弾性部材
１２ｃ      凹部
２３        手元側端壁
２７        螺子軸
２７ａ      ツマミ
２８        駒部材
２９        係合部材
３２        コイルバネ
３３        切断刃
３４        凸部
３６        側壁
３７        連結壁
Ａ          手動結束工具
Ａｈ        工具本体
Ｃ          引締力調節装置
Ｐ          枢支連結点
ａ          バンド部
ｂ          ヘッド部
ｃ          引締め機構
ｄ          引締め操作部
ｅ          切断機構
ｆ          切断操作部
ｇ          バンド保持部
ｈ          弾性機構
ｍ１        取入れ溝
ｍ２        横向き溝
ｐ１        揺動支点
ｒ          連動機構
【図１】
0005297684.tif 000002
【図２】
0005297684.tif 000003
【図３】
0005297684.tif 000004
【図４】
0005297684.tif 000005
【図５】
0005297684.tif 000006
【図６】
0005297684.tif 000007
【図７】
0005297684.tif 000008
【図８】
0005297684.tif 000009
【図９】
0005297684.tif 000010
【図１０】
0005297684.tif 000011
【図１１】
0005297684.tif 000012
【図１２】
0005297684.tif 000013
【図１３】
0005297684.tif 000014
【図１４】
0005297684.tif 000015
【図１５】
0005297684.tif 000016